(57)【特許請求の範囲】
【請求項１】
連結ロッドの両端部に、ドラム缶の上縁凸部の外周又は内周に係止する把持部が、連結ロッドに対して水平方向へ回動自在に設けられており、前記把持部は上下位置で対峙した把持爪を有すること、対峙した把持爪は上下方向に離接自在に構成されていること、前記対峙した把持爪は基部に対峙方向へガイド面を備え、前記ガイド面は互いに重合状態で上下方向へ摺動可能に構成されていることを特徴とするドラム缶の連結具。
【請求項２】
連結ロッドに昇降可能に設けられた垂直軸の制止部と連結ロッドとの間に、把持爪が対峙した状態で緩挿されており、前記垂直軸の昇降によって対峙した把持爪が上下方向に離接自在になることを特徴とする請求項１に記載のドラム缶の連結具。
【請求項３】
垂直軸が螺軸であり、連結ロッドに設けた螺子孔に螺合してなることを特徴とする請求項２に記載のドラム缶の連結具。
【請求項４】
垂直軸がボルトであることを特徴とする請求項３に記載のドラム缶の連結具。
【請求項５】
対峙した把持爪の基部に備えたガイド面が傾斜面で、互いに重合状態に構成されており、上下方向への摺動によって対峙した把持爪が水平方向へ離接自在になることを特徴とする請求項１乃至４のいずれかに記載のドラム缶の連結具。
【請求項６】
上部把持爪の先部は下方への曲部を成していると共に、ドラム缶の上縁凸部の内周に突合する下端面は外側への湾曲面となっていること、ドラム缶の上縁凸部の外周に突合する下部把持爪の先端面は、連結ロッドから突出していると共に、内側への湾曲面となっていることを特徴とする請求項１乃至５のいずれかに記載のドラム缶の連結具。
【発明の詳細な説明】
【技術分野】
【０００１】
本発明は、起立して並設したドラム缶同士を連結し、地震時や輸送時の揺れ・振動に転倒しないようにするドラム缶の連結具に関するものである。
【背景技術】
【０００２】
従来のドラム缶の転倒を防止するための連結具の先行技術として、本出願人が開発した特許第４５２２４９２号がある。
当該特許においては、ドラム缶の上縁凸部に係止する把持部と、この把持部を両端に有する連結ロッドより構成し、把持部は連結ロッドに対して水平方向に回動自在とし、把持部は上下位置で離接自在に対峙した把持爪を有することを特徴とするものである。
【０００３】
そして、対峙した把持爪の一方は、他方の把持爪に設けた垂直軸に緩挿して昇降自在とし、対峙した把持爪間に連結ロッドの連結部を垂直軸に弾性材を介して緩挿したもので、垂直軸をナットの螺軸を用いて、ナットの弛緩によって一方の把持爪を昇降させるようにしたものが開示されている。
【先行技術文献】
【特許文献】
【０００４】
【特許文献１】特許第４５２２４９２号公報
【発明の概要】
【発明が解決しようとする課題】
【０００５】
上記特許第４５２２４９２号公報では、対峙した把持爪は上下方向のみで離接自在なっていること、対峙した把持爪の一方は、他方の把持爪に設けた垂直軸に緩挿してナットの弛緩によって昇降自在としたこと、一方の把持爪が昇降して離接すること、把持爪間に連結ロッドの連結部を垂直軸に弾性材を介して緩挿したこと等、操作や作用に新たな課題と構成の簡素化が望まれている。
【０００６】
そこで、本発明は、簡単な取り扱い操作により、確実かつ強固にドラム缶同士を連結し、互いに固定して耐震性を高めて転倒を防止するドラム缶の連結具を提供せんとするものである。
【課題を解決するための手段】
【０００７】
本発明の請求項１のドラム缶の連結具は、連結ロッドの両端部に、ドラム缶の上縁凸部の外周又は内周に係止する把持部が、連結ロッドに対して水平方向へ回動自在に設けられており、前記把持部は上下位置で対峙した把持爪を有すること、対峙した把持爪は上下方向に離接自在に構成されていること、前記対峙した把持爪は基部に対峙方向へガイド面を備え、前記ガイド面は互いに重合状態で上下方向へ摺動可能に構成されていることを特徴とするものである。
【０００８】
請求項２のドラム缶の連結具は、請求項１に記載の発明において、連結ロッドに昇降可能に設けられた垂直軸の制止部と連結ロッドとの間に、把持爪が対峙した状態で緩挿されており、前記垂直軸の昇降によって対峙した把持爪が上下方向に離接自在になることを特徴とするものである。
【０００９】
請求項３のドラム缶の連結具は、請求項２に記載の発明において、垂直軸が螺軸であり、連結ロッドに設けた螺子孔に螺合してなることを特徴とするものであり、請求項４のドラム缶の連結具は、請求項３に記載の発明において、垂直軸がボルトであることを特徴とするものである。
【００１０】
請求項５のドラム缶の連結具は、請求項１乃至４のいずれかに記載の発明において、対峙した把持爪の基部に備えたガイド面が傾斜面で、互いに重合状態に構成されており、上下方向への摺動によって対峙した把持爪が水平方向へ離接自在になることを特徴とするものである。
【００１１】
請求項６のドラム缶の連結具は、請求項１乃至５のいずれかに記載の発明において、上部把持爪の先部は下方への曲部を成していると共に、ドラム缶の上縁凸部の内周に突合する下端面は外側への湾曲面となっていること、ドラム缶の上縁凸部の外周に突合する下部把持爪の先端面は、連結ロッドから突出していると共に、内側への湾曲面となっていることを特徴とするものである。
【発明の効果】
【００１２】
本発明の請求項１は、把持部の把持爪によってドラム缶の上縁凸部を把持するものであるから、確実に把持することができ、この把持部を両端に有する連結ロッドによりドラム缶同士を連結し、又は他方を係止物に係止すれば、連係距離が広狭せず、安定した連結状態を維持できる効果を有する。
又、両方の把持部を１個のドラム缶に把持すれば、連結ロッドが連係用のロープやベルトの結着部分と利用できる効果も発揮する。
【００１３】
そして、把持部は連結ロッドに対して水平方向に回動自在であるから、連結ロッドの長さが一定であっても、把持部を回動して把持位置を決定して把持間隔を調整することができる効果を有する。
【００１４】
さらに、対峙した把持爪は基部に対峙方向へガイド面を備え、互いに重合状態で上下方向へ摺動可能に構成されているため、上下の把持爪は連結ロッドに対して水平方向への回動に連動すると共に、上下方向への離接にも対峙した位置関係を維持し、上下の把持爪が対向して挟持して確実に把持できる効果を発揮するものである。
【００１５】
請求項２の発明は、請求項１の効果に加え、連結ロッドに昇降可能に設けられた垂直軸の制止部と連結ロッドとの間に、把持爪が対峙した状態で嵌挿されているため、把持部は連結ロッドに対して水平方向に回動自在となる。
また、垂直軸の制止部と連結ロッドとの間隔が垂直軸の昇降によって広狭するため、制止部と連結ロッドとの間に介在する対峙した把持爪が上下方向に離接自在となる作用効果を発揮する。
【００１６】
請求項３の発明は、請求項２の効果に加え、垂直軸が螺軸であり、連結ロッドに設けた螺子孔に螺合してなるため、螺軸を回転させることで容易に垂直軸の制止部と連結ロッドとの間隔を広狭できる効果を有し、請求項４の発明は、請求項３の効果に加え、垂直軸がボルトであるため螺軸の回転を極めて容易に行える効果を有し、ボルトの頭部が制止部とすることができる効果も有する。
【００１７】
請求項５の発明は、請求項１乃至４のいずれかの効果に加え、対峙した把持爪の基部に備えたガイド面が傾斜面で、互いに重合状態に構成されており、上下方向への摺動によって対峙した把持爪が水平方向へも離接自在になるため、対峙した把持爪の上下間隔が広狭するのと連動して、水平方向へも離接し、ドラム缶の上縁凸部の根元に角度が付いた方向で挟持することになり、より確実な把持となる効果を発揮する。
【００１８】
請求項６の発明は、請求項１乃至５のいずれかの効果に加え、上部把持爪の先部は下方への曲部を成していると共に、ドラム缶の上縁凸部の内周に突合する下端面は外側への湾曲面となっていること、ドラム缶の上縁凸部の外周に突合する下部把持爪の先端面は、連結ロッドから突出していると共に、内側への湾曲面となっているため、ドラム缶の上縁凸部の内周及び外周に沿って確実に突合する作用効果を発揮し、また、緩挿する螺軸の回転による共回りの回避と、当接する連結ロッドの共回りをも防止する効果も有する。
【図面の簡単な説明】
【００１９】
【図１】本発明の連結具の一実施の形態を示す斜視図である。
【図２】本発明の連結具の使用の状態を示す断面図である。
【図３】本発明の連結具の使用の状態を示す断面図である。
【図４】本発明の連結具の上部把持爪及び下部把持爪を示す斜視図である。
【発明を実施するための形態】
【００２０】
本発明の実施の形態例を図面に基づいて説明する。
図１は本発明のドラム缶の連結具の一実施の形態を示す斜視図であり、図２及び図３は連結具の使用の状態を示す断面図、図４は上部把持爪及び下部把持爪を示す斜視図である。
【００２１】
連結具１はドラム缶１０の上縁凸部１１に係止する把持部２，２と、この把持部２，２を両端に載置する平板状の連結ロッド３より成り、把持部２，２は上下位置で離接自在に対峙した把持爪４，５で形成している。
把持部２は、連結ロッド３に対して水平方向へ回動自在に設けられており、前記把持部２は上下位置で対峙した把持爪４，５を有すること、対峙した把持爪４，５は上下方向に離接自在に構成されている。
把持爪４，５は、平板状の連結ロッド３と略同等の幅を有する。
【００２２】
連結ロッド３には垂直軸６が昇降可能に設けられ、上下の把持爪４，５の挿通孔４１，５１に垂直軸６が緩挿している。
上下の把持爪４，５は、緩挿する垂直軸６の制止部７と連結ロッド３との間に対峙した状態で配置されている。
垂直軸６は螺軸であり、連結ロッド３に設けた螺子孔３１に螺合してなるもので、図面では垂直軸６にボルトを利用し、ボルトの頭部を制止部７としてある。
【００２３】
上部把持爪４は把持先端が下方に屈曲４２してドラム缶１０の上縁凸部１１を形成するバンドに引っ掛り易くしてあり、さらに、屈曲４２した先端は、ドラム缶１０の上縁凸部１１の内周１１Ａに突合するもので、その下端面は外側への湾曲面４３と成っている。
一方、下部把持爪５は、ドラム缶１０の上縁凸部１１の外周１１Ｂに突合するものであり、下部把持爪５の先端は、水平方向に回動しても載置する連結ロッド３から突出していると共に、その先端面は内側への湾曲面５２と成っている。
【００２４】
そして、対峙した把持爪４，５の基部は、対峙側の下方又は上方へガイド面４４，５３が折曲して形成されている。
ガイド面４４，５３は、互いに重合状態で上下方向へ摺動可能に構成され、上下の把持爪４，５は連結ロッド３に対して水平方向への回動に一体と成って連動すると共に、垂直軸６の昇降による上下方向への離接にも対峙した位置関係を維持し、上下の把持爪４，５が対向して挟持して確実に把持できる作用を奏する。
【００２５】
図面では、ガイド面４４，５３は傾斜面に形成され、当該ガイド面４４，５３は互いに重合状態となる鈍角と鋭角を成している。
したがって、垂直軸６の昇降によって対峙した把持爪４，５の上下間隔が広狭するのに伴って、傾斜したガイド面４４，５３を摺動する把持爪４，５は水平方向へも離接自在に連動し、ドラム缶１０の上縁凸部１１の根元に角度が付いた方向で挟持する作用を奏する。
図面では上方の把持爪４の挿通孔４１を長孔として水平方向への移動を支障なく行えるようにしてある。
【００２６】
そこで、ドラム缶１０の上縁凸部１１を把持爪４，５の間に挟む格好で配置して、前記垂直軸６であるボルトを回転させることによって、ボルトが連結ロッド３に設けた螺子孔３１に螺合して降下すると、ボルト頭部の制止部７と連結ロッド３との間に介在する把持爪４，５は、上下方向から押されて互いに上下間隔が近寄ると同時に、傾斜面部４４，５３が重合状態で摺動して水平方向の間隔も把持側へ互いに近寄る。
【００２７】
したがって、対峙した把持爪４，５は上下方向及び水平方向に近接して、ドラム缶１０の上縁凸部１１の根元に角度が付いた方向で挟圧して挟持することになって確実に把持することができるものである。
また、上部把持爪４の下端面は外側への湾曲面４３となっていること、下部把持爪５の先端面は連結ロッド３から突出していると共に、内側への湾曲面５２となっているため、ドラム缶１０の上縁凸部１１の内周１１Ａ及び外周１１Ｂに沿って確実に突合する作用を奏し、また、緩挿する螺軸の回転による共回りの回避と、当接する連結ロッド３の共回りをも防止する。
【００２８】
連結ロッド３の長さは一定であるけれど、その長さに合わせて連係するドラム缶１０，１０の適宜場所を定め、把持部２を水平方向に回動させ、微調節をして位置決定すればよく、総ての連結具１とドラム缶１０との係止位置関係を一致させる必要も無い。
隣接するドラム缶１０同士が連結具１で連係されていることで、全体に一体性が生じて耐震性が向上するものとなる。
【００２９】
以上、本発明を図面に表わした実施の形態に基づき具体的に説明したが、本発明は上記の実施形態に限定されるものではなく、さらに、連結ロッド３にターンバックル等を介在させて把持部２，２間の長さ調節をするようにしても良く、発明の思想を逸脱することなく、本発明の特徴を有し同等の作用効果を発揮する連結具にも適用可能である。
【符号の説明】
【００３０】
１          連結具
２          把持部
３          連結ロッド
４          上部把持爪
５          下部把持爪
６          垂直軸
７          制止部
１０        ドラム缶
１１        上縁凸部
１１Ａ      内周
１１Ｂ      外周
３１        螺子孔
４１，５１  挿通孔
４２        屈曲
４３        外側への湾曲面
４４，５３  傾斜面部
５２        内側への湾曲面
【図１】
0006277212.tif 000002
【図２】
0006277212.tif 000003
【図３】
0006277212.tif 000004
【図４】
0006277212.tif 000005